(57)【要約】【課題】ＷＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）網で携帯端末機が最適化されたチャネルを検索できる知能型ＷＣＤＭＡチャネル検索装置及びその方法を提供する。【解決手段】携帯端末機で送受信される基底帯域信号を処理する基底帯域部１００と、ＷＣＤＭＡシステムに割り当てられた全てのチャネルをテーブルに構成し、各チャネルの占有回数を記録及び保存するテーブル部１２０と、該テーブル部１２０に保存されたデータに基づいて占有回数の最も高いチャネルを検索し、優先順位に従って通信チャネルを選択する制御部１１０と、該制御部１１０により選択されたチャネルを通して通信信号を送受信する高周波部１３０と、を含んで知能型ＷＣＤＭＡチャネル検索装置を構成する。【選択図】図１
2005124213.tif 000002
【特許請求の範囲】
【請求項１】
携帯端末機で送受信される基底帯域信号を処理する基底帯域部と、
システムに割り当てられた全てのチャネルをテーブルに構成し、各チャネルの占有回数を記録及び保存するテーブル部と、
該テーブル部に保存されたデータに基づいて占有回数の最も高いチャネルを検索し、優先順位に従って通信チャネルを選択する制御部と、
該制御部により選択されたチャネルを通して通信信号を送受信する高周波部と、
を含んで構成されることを特徴とする知能型ＷＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）チャネル検索装置。
【請求項２】
前記テーブル部は、システムに割り当てられた全てのチャネルを配列して周波数グループを形成し、各チャネルが占有される回数を累積して保存することを特徴とする請求項１記載の知能型ＷＣＤＭＡチャネル検索装置。
【請求項３】
前記全てのチャネルは、５ＭＨｚ間隔で一定に配列されることを特徴とする請求項２記載の知能型ＷＣＤＭＡチャネル検索装置。
【請求項４】
前記テーブル部は、前記制御部により更新された周波数グループ別の優先順位をデータとして保存することを特徴とする請求項１記載の知能型ＷＣＤＭＡチャネル検索装置。
【請求項５】
前記制御部は、前記テーブル部からデータを受けて優先順位の最も高い周波数グループを選択し、該選択された周波数グループの各チャネルを検索することを特徴とする請求項１記載の知能型ＷＣＤＭＡチャネル検索装置。
【請求項６】
前記各チャネルは、所定の優先順位に従って検索されることを特徴とする請求項５記載の知能型ＷＣＤＭＡチャネル検索装置。
【請求項７】
前記所定の優先順位は、チャネルが占有される回数または頻度数によって決定されることを特徴とする請求項６記載の知能型ＷＣＤＭＡチャネル検索装置。
【請求項８】
前記制御部は、前記検索されたチャネルの運用状態を確認して通信可能なチャネであると、そのチャネルを登録して占有し、前記高周波部を制御して通信信号を送受信するようにすることを特徴とする請求項５記載の知能型ＷＣＤＭＡチャネル検索装置。
【請求項９】
前記制御部は、占有されたチャネルの占有回数を累積して前記テーブル部に保存させ、周波数グループの優先順位を更新することを特徴とする請求項１記載の知能型ＷＣＤＭＡチャネル検索装置。
【請求項１０】
前記制御部は、前記チャネルの累積された占有回数が所定の上限値になると、前記テーブル部に保存された全てのチャネルの累積された占有回数値を一定の割合で縮小して更新することを特徴とする請求項９記載の知能型ＷＣＤＭＡチャネル検索装置。
【請求項１１】
優先順位の高い周波数グループを選択し、該周波数グループに構成される各チャネルを該当の優先順位に従って順次検索する段階と、
前記周波数グループに通信可能なチャネルがあるかどうかを判断する段階と、
前記判断の結果、通信可能なチャネルがあると、そのチャネルを通して通信を行う段階と、
を有することを特徴とする知能型ＷＣＤＭＡチャネル検索方法。
【請求項１２】
前記周波数グループは、システムに割り当てられた全てのチャネルを配列することで形成され、各チャネルが占有される回数が累積されることを特徴とする請求項１１記載の知能型ＷＣＤＭＡチャネル検索方法。
【請求項１３】
前記周波数グループの優先順位は、各グループ内で優先順位の最も高いチャネルを選定して互いに比較することで決定されることを特徴とする請求項１１記載の知能型ＷＣＤＭＡチャネル検索方法。
【請求項１４】
前記チャネルの優先順位は、チャネルが占有される回数または頻度数によって決定されることを特徴とする請求項１３記載の知能型ＷＣＤＭＡチャネル検索方法。
【請求項１５】
前記各チャネルは、５ＭＨｚ間隔で一定に配列されることを特徴とする請求項１１記載の知能型ＷＣＤＭＡチャネル検索方法。
【請求項１６】
前記周波数グループ及びチャネルの優先順位は、
前記チャネルが占有されると、その占有されたチャネルの占有回数を累積して保存する段階と、
前記保存されたチャネルの占有回数によって、周波数グループ別の優先順位を更新して保存する段階と、
を通して設定されることを特徴とする請求項１１記載の知能型ＷＣＤＭＡチャネル検索方法。
【請求項１７】
前記累積されたチャネルの占有回数が所定の上限値になると、全てのチャネルの累積された占有回数を一定の割合で縮小して更新する段階をさらに有することを特徴とする請求項１６記載の知能型ＷＣＤＭＡチャネル検索方法。
【発明の詳細な説明】
【技術分野】
【０００１】
本発明は、移動通信システムに関するもので、詳しくは、ＷＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）網で携帯端末機が最適化されたチャネルを検索できるようにする知能型ＷＣＤＭＡチャネル検索装置及びその方法に関するものである。
【背景技術】
【０００２】
ＷＣＤＭＡは、マルチメディアデータの伝送を目的に開発された第３世代移動通信システムであって、多くの国家で採択されており、高画質画像サービス、速いデータ伝送率など、既存のシステムとは多くの相違点を有している。
【０００３】
一般に、このようなＷＣＤＭＡ網で携帯端末機は、該当地域の基地局から割り当てられたチャネル（または周波数）を通して通話を行うか、またはデータサービスを利用する。従来、各携帯端末機製造社がそれぞれ固有のチャネル検索方法を提示してきたが、大部分が固定された特定の周波数帯域またはＷＣＤＭＡサービスが割り当てられた全体周波数帯域を検索する方法を用いていた。従って、該当する特定の地域や特定の移動通信事業者の網に対しては、迅速で効率的な検索が可能であった。
【発明の開示】
【発明が解決しようとする課題】
【０００４】
しかしながら、従来の全く異なる周波数帯域を使用する特定の地域または他の移動通信事業者の網では、チャネルの検索が遅延するか、またはチャネルの占有が不可能な場合が発生することにより、通信サービスの品質が低下し、さらには通信サービスを利用し得ないため、使用者に不便を与えてサービスの信頼度が低下するという問題点があった。
【０００５】
本発明は、このような従来の課題に鑑みてなされたもので、ＷＣＤＭＡ網で携帯端末機が最適化されたチャネルを検索できる知能型ＷＣＤＭＡチャネル検索装置及びその方法を提供することを目的とする。  
【０００６】
また、本発明の他の目的は、迅速で效率的にチャネルを占有して、使用者に迅速で品質の良い移動通信サービスを提供できる知能型ＷＣＤＭＡチャネル検索装置及びその方法を提供することにある。
【課題を解決するための手段】
【０００７】
上記目的を達成するために、本発明は、例えば、以下の手段を提供する。
（項目１）
携帯端末機で送受信される基底帯域信号を処理する基底帯域部と、
システムに割り当てられた全てのチャネルをテーブルに構成し、各チャネルの占有回数を記録及び保存するテーブル部と、
該テーブル部に保存されたデータに基づいて占有回数の最も高いチャネルを検索し、優先順位に従って通信チャネルを選択する制御部と、
該制御部により選択されたチャネルを通して通信信号を送受信する高周波部と、
を含んで構成されることを特徴とする知能型ＷＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）チャネル検索装置。
（項目２）
前記テーブル部は、システムに割り当てられた全てのチャネルを配列して周波数グループを形成し、各チャネルが占有される回数を累積して保存することを特徴とする項目１記載の知能型ＷＣＤＭＡチャネル検索装置。
（項目３）
前記全てのチャネルは、５ＭＨｚ間隔で一定に配列されることを特徴とする項目２記載の知能型ＷＣＤＭＡチャネル検索装置。
（項目４）
前記テーブル部は、前記制御部により更新された周波数グループ別の優先順位をデータとして保存することを特徴とする項目１記載の知能型ＷＣＤＭＡチャネル検索装置。
（項目５）
前記制御部は、前記テーブル部からデータを受けて優先順位の最も高い周波数グループを選択し、該選択された周波数グループの各チャネルを検索することを特徴とする項目１記載の知能型ＷＣＤＭＡチャネル検索装置。
（項目６）
前記各チャネルは、所定の優先順位に従って検索されることを特徴とする項目５記載の知能型ＷＣＤＭＡチャネル検索装置。
（項目７）
前記所定の優先順位は、チャネルが占有される回数または頻度数によって決定されることを特徴とする項目６記載の知能型ＷＣＤＭＡチャネル検索装置。
（項目８）
前記制御部は、前記検索されたチャネルの運用状態を確認して通信可能なチャネであると、そのチャネルを登録して占有し、前記高周波部を制御して通信信号を送受信するようにすることを特徴とする項目５記載の知能型ＷＣＤＭＡチャネル検索装置。
（項目９）
前記制御部は、占有されたチャネルの占有回数を累積して前記テーブル部に保存させ、周波数グループの優先順位を更新することを特徴とする項目１記載の知能型ＷＣＤＭＡチャネル検索装置。
（項目１０）
前記制御部は、前記チャネルの累積された占有回数が所定の上限値になると、前記テーブル部に保存された全てのチャネルの累積された占有回数値を一定の割合で縮小して更新することを特徴とする項目９記載の知能型ＷＣＤＭＡチャネル検索装置。
（項目１１）
優先順位の高い周波数グループを選択し、該周波数グループに構成される各チャネルを該当の優先順位に従って順次検索する段階と、
前記周波数グループに通信可能なチャネルがあるかどうかを判断する段階と、
前記判断の結果、通信可能なチャネルがあると、そのチャネルを通して通信を行う段階と、
を有することを特徴とする知能型ＷＣＤＭＡチャネル検索方法。
（項目１２）
前記周波数グループは、システムに割り当てられた全てのチャネルを配列することで形成され、各チャネルが占有される回数が累積されることを特徴とする項目１１記載の知能型ＷＣＤＭＡチャネル検索方法。
（項目１３）
前記周波数グループの優先順位は、各グループ内で優先順位の最も高いチャネルを選定して互いに比較することで決定されることを特徴とする項目１１記載の知能型ＷＣＤＭＡチャネル検索方法。
（項目１４）
前記チャネルの優先順位は、チャネルが占有される回数または頻度数によって決定されることを特徴とする項目１３記載の知能型ＷＣＤＭＡチャネル検索方法。
（項目１５）
前記各チャネルは、５ＭＨｚ間隔で一定に配列されることを特徴とする項目１１記載の知能型ＷＣＤＭＡチャネル検索方法。
（項目１６）
前記周波数グループ及びチャネルの優先順位は、
前記チャネルが占有されると、その占有されたチャネルの占有回数を累積して保存する段階と、
前記保存されたチャネルの占有回数によって、周波数グループ別の優先順位を更新して保存する段階と、
を通して設定されることを特徴とする項目１１記載の知能型ＷＣＤＭＡチャネル検索方法。
（項目１７）
前記累積されたチャネルの占有回数が所定の上限値になると、全てのチャネルの累積された占有回数を一定の割合で縮小して更新する段階をさらに有することを特徴とする項目１６記載の知能型ＷＣＤＭＡチャネル検索方法。
【０００８】
このような目的を達成するため、本発明に係る知能型ＷＣＤＭＡチャネル検索装置は、携帯端末機で送受信される基底帯域信号を処理する基底帯域部と、ＷＣＤＭＡシステムに割り当てられた全てのチャネルをテーブルに構成し、各チャネルの占有回数を記録及び保存するテーブル部と、該テーブル部に保存されたデータに基づいて占有回数の最も高いチャネルを検索し、優先順位に従って通信チャネルを選択する制御部と、該制御部により選択されたチャネルを通して通信信号を送受信する高周波部と、を含んで構成されることを特徴とする。
【０００９】
そして、本発明に係る知能型ＷＣＤＭＡチャネル検索方法は、優先順位の高い周波数グループを選択し、該周波数グループに構成される各チャネルを該当の優先順位に従って順次検索する段階と、前記周波数グループに通信可能なチャネルがあるかどうかを判断する段階と、前記判断の結果、通信可能なチャネルがあると、そのチャネルを通して通信を行う段階と、を有することを特徴とする。
【００１０】
また、前記テーブル部は、ＷＣＤＭＡシステムに割り当てられた全てのチャネルを５ＭＨｚ間隔で一定に配列して周波数グループを形成し、各チャネルが占有される回数を累積して保存し、前記制御部により更新された周波数グループ別の優先順位をデータとして保存することを特徴とする。
【００１１】
また、前記制御部は、前記テーブル部からデータを受けて優先順位の最も高い周波数グループを選択し、該選択された周波数グループの各チャネルを所定の優先順位に従って検索することを特徴とする。且つ、前記制御部は、前記検索されたチャネルの運用状態を確認して通信可能なチャネであると、そのチャネルを登録して占有し、通信信号を送受信するように制御することを特徴とする。
【００１２】
また、前記優先順位は、チャネルが占有されると、その占有されたチャネルの占有回数を累積して保存する段階と、前記保存されたチャネルの占有回数によって、周波数グループ別の優先順位を更新して保存する段階と、前記累積されたチャネルの占有回数が所定の上限値になったかどうかを判断する段階と、前記判断の結果、前記累積されたチャネルの占有回数が所定の上限値になった場合、全てのチャネルの累積された占有回数を一定の割合で縮小して更新する段階と、を通して設定されることを特徴とする。
【発明の効果】
【００１３】
本発明に係る知能型ＷＣＤＭＡチャネル検索装置及びその方法においては、地域や移動通信事業者別にチャネル状況が異なることに鑑みて、周波数グループ及びチャネルの優先順位を考慮してチャネルを検索することで、迅速で效率的にチャネルを検索して占有できるという産業的な効果がある。
【００１４】
また、使用されるチャネルの優先順位を更新し続けることで、最適化された状態のチャネルを検索して占有し、システムの負荷を減らしてサービスの信頼度を向上できるという効果がある。
【００１５】
また、迅速なチャネルの検索により、提供される通信サービスの品質及び速度が向上し、使用者に便利さを提供するという効果がある。
【発明を実施するための最良の形態】
【００１６】
以下、本発明に係る知能型ＷＣＤＭＡチャネル検索装置及びその方法の最良の形態を図面に基づいて説明する。
【００１７】
図１は、本発明に係る知能型ＷＣＤＭＡチャネル検索装置の構成を示したブロック図で、図示されたように、本発明に係る知能型ＷＣＤＭＡチャネル検索装置は、携帯端末機で送受信される基底帯域信号を処理する基底帯域部１００と、ＷＣＤＭＡシステムに割り当てられた全てのチャネルをテーブルに構成し、各チャネルの占有回数を記録及び保存するテーブル部１２０と、該テーブル部１２０に保存されたデータに基づいて占有回数の最も高いチャネルを検索し、優先順位に従って通信チャネルを選択する制御部１１０と、該制御部１１０により選択されたチャネルを通して通信信号を送受信する高周波部１３０と、を含んで構成されている。
【００１８】
前記基底帯域部１００は、ＷＣＤＭＡ携帯端末機で送受信される音声信号、文字または記号信号及び映像信号などの基底帯域信号を処理する。
【００１９】
また、前記テーブル部１２０は、ＷＣＤＭＡシステムに割り当てられた全てのチャネルを５ＭＨｚ間隔で一定に配列して周波数グループを形成し、各チャネルが占有される回数を累積して保存し、前記制御部１１０により更新された周波数グループ別の優先順位をデータとして保存する。
【００２０】
また、前記制御部１１０は、前記テーブル部１２０からデータを受けて優先順位の最も高い周波数グループを選択し、該選択された周波数グループの各チャネルを所定の優先順位に従って検索し、それら検索されたチャネルの運用状態を確認して、通信可能なチャネルであると、そのチャネルを登録して占有し、通信信号を送受信するように制御する。
【００２１】
且つ、前記制御部１１０は、該当チャネルの占有回数を累積して前記テーブル部１２０に保存させ、周波数グループの優先順位を更新し、前記チャネルの累積された占有回数が所定の上限値になると、前記テーブル部１２０に保存された全てのチャネルの累積された占有回数値を一定の割合で縮小して更新するようにする。
【００２２】
例えば、三つのチャネルの占有回数がそれぞれ４９、２５、１０で、上限値を５０と決めた場合、最初のチャネルが再び占有されて占有回数が５０に累積されると、上限値に到達したので全てのチャネルの累積された占有回数値を縮小させる。
【００２３】
ここで、占有回数値を縮小させる方法には多様な方法があるが、例えば、全てのチャネルの占有回数値を１ずつ減算するか、または５で除算することができる。仮に、全てのチャネルの占有回数値からそれぞれ１０を減算すると、前述したような場合、三番目のチャネルは占有回数が０となって検索対象から除かれるため、チャネルが除かれただけ検索速度が速くなるという効果がある。
【００２４】
図２は、前記テーブル部により作成されたテーブルの一実施例を示した図で、図中、「Ｘ」は各チャネルを、「Ｘ」表示の上の数字は該当チャネルが選択される優先順位または頻度順位をそれぞれ示したものである。また、各チャネルの列は周波数グループを、最上端の数字１、２、３は周波数グループが選択される優先順位をそれぞれ示したものである。
【００２５】
図中、周波数グループの優先順位が２である第１列の第２行の上には８が表示されていることから、該当チャネルの優先順位または頻度順位が８であることが分かる。同様に、第１列の第４行のチャネルは優先順位または頻度順位が２で、第６行のチャネルは１４、第８行のチャネルは７、第１１行のチャネルは６であることが分かる。
【００２６】
このとき、優先順位または頻度順位は、その数が低いチャネルが優先順位または頻度順位の高いチャネルで、その数が高いチャネルが優先順位または頻度順位の低いチャネルである。従って、周波数グループの優先順位が２である第１列の場合、優先順位または頻度順位が２であるチャネルが優先順位または頻度順位の最も高いチャネルで、優先順位または頻度順位が１４であるチャネルが優先順位または頻度順位の最も低いチャネルである。
【００２７】
即ち、優先順位２の周波数グループにおける優先順位または頻度順位は２→６→７→８→１４である。
【００２８】
同様に、周波数グループの優先順位が１である第６列において、各チャネルの選択される優先順位または頻度順位は、それぞれ第２行のチャネルが３、第４行のチャネルが９、第５行のチャネルが１、第７行のチャネルが１２、第９行のチャネルが４、第１１行のチャネルが１３である。ここで、優先順位または頻度順位は１→３→４→９→１２→１３である。
【００２９】
また、同様に、周波数グループの優先順位が３である第１１列においても、第３行、第７行、第１０行及び第１１行のチャネルの優先順位または頻度順位はそれぞれ１５、５、１０、１１であることが分かる。即ち、優先順位または頻度順位は５→１０→１１→１５である。
【００３０】
このようにテーブルが作成されたとき、まず、周波数グループが選択されると、該当の周波数グループ内の優先順位または頻度順位に従ってチャネルが検索される。
【００３１】
即ち、優先順位２の周波数グループが選択される場合、優先順位または頻度順位に従って優先順位または頻度順位が２であるチャネルが先に検索され、使用可能なチャネルであるかどうかが確認される。その確認の結果、該当チャネルが使用可能なチャネルであると、該チャネルが占有され、該チャネルを通して通信信号が送受信される。
【００３２】
反面、前記チャネルが使用不可能なチャネルとして確認されると、優先順位または頻度順位が６であるチャネルが検索され、使用可能なチャネルであるかどうかが確認される。その確認の結果、該当チャネルが使用可能なチャネルであると、該チャネルが占有され、該チャネルを通して通信信号が送受信される。
【００３３】
しかしながら、再び前記チャネルが使用不可能なチャネルとして確認されると、優先順位または頻度順位に従って優先順位または頻度順位が７であるチャネル、その次は優先順位または頻度順位が８であるチャネル、その次は優先順位または頻度順位が１４であるチャネルがそれぞれ同様な方式により検索され、使用可能なチャネルであるかどうかが確認される。その確認の結果、使用可能なチャネルがあると、該当チャネルが占有され、該チャネルを通して通信信号が送受信される。
【００３４】
若し、前記優先順位２の周波数グループのチャネルが全て使用不可能なチャネルとして確認されると、次の優先順位の周波数グループのチャネルを検索する。
【００３５】
図３は、前記テーブル部により作成されたテーブルの他の実施例を示した図で、図中、「Ｏ」は前記テーブル部に記録される各チャネルのオフセット（ＯＦＦＳＥＴ）値、「Ｆ」は該当チャネルが選択される頻度数（ＦＲＥＱＵＥＮＣＹ）をそれぞれ示したものである。
【００３６】
一般に、ＷＣＤＭＡシステムに割り当てられる全体無線周波数帯域は２１１０ＭＨｚから２１７０ＭＨｚまでであるが、干渉を減らすために各チャネルに割り当てられる周波数帯域の間隔は２００ＫＨｚで、実際に使用される周波数は２１１２．４ＭＨｚから２１１２．６ＭＨｚ、２１１２．８ＭＨｚ、．．．、２１６７．４ＭＨｚ、２１６７．６ＭＨｚまで全て２７７個のチャネルがある。
【００３７】
また、前記実際に使用される各周波数帯に対して番号を付与したものをＵＡＲＦＣＮ（ＵＴＲＡ（Ｕｎｉｖｅｒｓａｌ  Ｔｅｒｒｅｓｔｒｉａｌ  Ｒａｄｉｏ  Ａｃｃｅｓｓ）  Ａｂｓｏｌｕｔｅ  Ｒａｄｉｏ  Ｆｒｅｑｕｅｎｃｙ  Ｃｈａｎｎｅｌ  Ｎｕｍｂｅｒ）と称するが、前記ＵＡＲＦＣＮは、周波数に５を乗算した値で、２１１２．４に５を乗算した値である１０５６２から２１６７．６に５を乗算した値である１０８３８までである。
【００３８】
また、前記図３に示すオフセット値Ｏは、前記ＵＡＲＦＣＮ１０５６２からのオフセットを示したもので、オフセット値が５であると、ＵＡＲＦＣＮは１０５６２にオフセット値５を加算した１０５６７で、オフセット値が３０であると、ＵＡＲＦＣＮは１０５６２に３０を加算した値である１０５９２である。即ち、オフセット値が８０である場合、ＵＡＲＦＣＮは１０５６２＋８０である１０６４２で、該当周波数は１０６４２／５である２１２４．４ＭＨｚである。図には便宜のためにオフセット値を示しているが、ＵＡＲＦＣＮや周波数を示しても良い。
【００３９】
図３の各頻度数は、上限線に達するまでその値が更新され、保存されたチャネル情報を利用したチャネルの選択が行われない場合、適切なチャネルを検索するための優先順位を決定するのに使用される。
【００４０】
且つ、グループ間の優先順位は、各グループ内で頻度数の最も高い、即ち、優先順位の最も高いチャネルを選定して互いに比較することで決定される。即ち、図に示するように、グループ１ではオフセット値Ｏが１０５であるチャネルが頻度数Ｆ５０で最も高く、グループ２ではオフセット値Ｏが７５であるチャネルが頻度数Ｆ４８で最も高く、グループ３ではオフセット値Ｏが８５であるチャネルが頻度数Ｆ４４で最も高い。
【００４１】
前記各グループで最も高い頻度数を有するチャネルの優先順位を比較すると、グループ１が最も高く、その次はグループ２で、グループ３の優先順位が最も低いことが分かる。従って、優先順位はグループ１→グループ２→グループ３の順に決定される。
【００４２】
このようにグループ間の優先順位が決定されると、優先順位の高いグループのチャネルから検索されるが、ここでは、グループ１が最も高い優先順位を有するので、グループ１の頻度数が最も高いチャネルから検索され、検索中に使用可能なチャネルがあると、該当のチャネルが占有されて該チャネルを通して通信が行われる。しかしながら、グループ１の頻度数が最も高いチャネルから頻度数が最も低いチャネルまで検索が完了した後にも使用可能なチャネルがないと、その次の優先順位を有するグループ内のチャネルを検索するが、このとき、占有可能なチャネルが検索されるまで、システムに割り当てられた全てのチャネルが前記のような優先順位に従って全て検索される。
【００４３】
このような方法により、保存されたチャネル情報がなくても迅速で効率的なチャネル検索が可能で、各地域別、移動通信事業者別に最適化された周波数検索が可能になる。
【００４４】
図４は、本発明に係る知能型ＷＣＤＭＡチャネル検索方法を示したフローチャートで、図示されたように、まず、携帯端末機が通信を開始する（ステップＳ４００）と、携帯端末機（携帯端末機の制御部）は、テーブル部のデータを検索して優先順位の最も高い周波数グループを選択する（ステップＳ４１０）。その後、前記選択された周波数グループ内のチャネルを優先順位順に検索し（ステップＳ４２０）、検索中に占有可能なチャネル、即ち、通信が可能なチャネルがあるかどうかを判断する（ステップＳ４３０）。前記判断の結果、通信可能なチャネルがないと、次の優先順位を有する周波数グループを選択して前記のステップＳ４２０〜Ｓ４３０を繰り返し（ステップＳ４４０）、通信可能なチャネルがあると、該当チャネルを基地局に登録させて占有する（ステップＳ４５０）。このようにチャネルが占有されると、該当チャネルの占有回数を累積してデータとして保存し（ステップＳ４６０）、該当チャネルを通して通信サービスを利用する（ステップＳ４７０）。
【００４５】
このように実現される本発明においては、何よりもチャネルの優先順位を正確に設定する方法が必要であるが、これを図５に基づいて説明する。
【００４６】
図５は、本発明のためのチャネル優先順位設定方法を示したフローチャートで、図示されたように、まず、携帯端末機が通信を行うためにチャネルを占有すると（ステップＳ５００）、携帯端末機（携帯端末機の制御部）は、該当チャネルの占有回数を累積してテーブル部にデータとして保存する（ステップＳ５１０）。その後、該保存された占有回数によって周波数グループ別の優先順位を更新してテーブル部にデータとして保存する（ステップＳ５２０）。その後、前記累積された占有回数が上限値になったかどうかを判断し（ステップＳ５３０）、上限値になった場合、全てのチャネルの累積された占有回数を一定の割合で縮小して更新する（ステップＳ５４０）。
【００４７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４８】
【図１】本発明に係る知能型ＷＣＤＭＡチャネル検索装置の構成を示したブロック図である。
【図２】本発明に係る知能型ＷＣＤＭＡチャネル検索装置により作成されたテーブルの一実施例を示した図である。
【図３】本発明に係る知能型ＷＣＤＭＡチャネル検索装置により作成されたテーブルの他の実施例を示した図である。
【図４】本発明に係る知能型ＷＣＤＭＡチャネル検索方法を示したフローチャートである。
【図５】本発明のためのチャネル優先順位設定方法を示したフローチャートである。
【符号の説明】
【００４９】
１００  基底帯域部
１１０  制御部
１２０  テーブル部
１３０  高周波部
【図１】
2005124213.tif 000003
【図２】
2005124213.tif 000004
【図３】
2005124213.tif 000005
【図４】
2005124213.tif 000006
【図５】
2005124213.tif 000007